(57)【要約】【課題】天井材の板厚が薄い場合にも、取付バネに十分な係止力が得られる埋込型照明器具を提供する。【解決手段】埋込型照明器具１０００は、器具本体１００と取付バネ２００を備える。器具本体１１０は、埋込穴２００３に埋め込まれる側部１１０と、側部１１０の端部外周に形成された板状のフランジ部１２０と、凹み１３１が形成されて凹み１３１に取付バネ２００の折曲部２０１を収める溝部１３０とを備える。フランジ部１２０は、埋込穴２００３の天井下面２００１の周縁を含んで天井下面２００１と当接するフランジ部上面１２２面を有する。取付バネ２００は折曲部２０１が凹み１３１に収まった状態で天井角部２００４を押し付ける。このときフランジ部１２０のフランジ部上面１２２が埋込穴２００３の周縁の天井下面２００１を受けているので、天井材の板厚が薄い場合にも、取付バネ２００に十分な係止力を得ることができる。【選択図】図１
2014110186.tif 000002
【特許請求の範囲】
【請求項１】
板状の部材の部材下面から部材上面の方向に貫通する貫通穴に埋め込まれ、前記部材に取り付けられる埋込型照明器具において、
器具本体と、
折曲部で折り曲げられて略Ｖ字形状をなし、前記器具本体を前記部材に弾性力によって取り付ける取付バネと
を備え、
前記器具本体は、
光源が収納され、前記光源の周囲を取り囲む側面をなすと共に前記貫通穴に前記部材下面から前記部材上面の方向に埋め込まれる側部と、
前記部材下面から前記部材上面の方向に埋め込まれる前記側部の前記部材下面の側の端部の外周の少なくとも一部に形成された板状のフランジ部であって、前記側部が前記貫通穴に前埋め込まれた状態において、前記貫通穴の前記部材下面側の周縁を含んで前記貫通穴の前記部材下面と当接する前記部材上面側の面であるフランジ部上面と、
前記フランジ部上面に対して、前記部材下面側の面であるフランジ部下面と
を有するフランジ部と、
前記側部が前記貫通穴に埋め込まれた状態において、前記貫通穴の前記部材下面側の周縁に沿うと共に前記貫通穴である開口の側の前記フランジ部上面から前記フランジ部下面の方向に凹む凹みが形成され、前記凹みに前記取付バネの前記折曲部を収める溝部と
を備えたことを特徴とする埋込型照明器具。
【請求項２】
前記フランジ部は、
前記側部の前記部材下面の側の端部の外周の全周にわたって形成されたことを特徴とする請求項１記載の埋込型照明器具。
【請求項３】
前記溝部は、
前記凹みが、前記貫通穴の前記部材下面側の周縁に沿って一周する周状に形成されたことを特徴とする請求項２記載の埋込型照明器具。
【請求項４】
前記貫通穴は、
略円形であり、
前記フランジ部は、
略回転体形状をなすことを特徴とする請求項３記載の埋込型照明器具。
【請求項５】
前記溝部は、
前記凹みが、前記貫通穴の前記部材下面側の周縁に沿って円周状に形成されたことを特徴とする請求項４記載の埋込型照明器具。
【請求項６】
前記溝部は、
前記凹みに前記取付バネの前記折曲部を収める際には、前記フランジ部上面と前記部材下面とが当接する当接面よりも前記フランジ部下面の方向に前記折曲部を収めることを特徴とする請求項１〜５のいずれかに記載の埋込型照明器具。
【発明の詳細な説明】
【技術分野】
【０００１】
この発明は、天井材などの部材に埋め込んで取り付ける埋込型照明器具に関する。
【背景技術】
【０００２】
従来では、天井の板厚が厚くても、取付バネを折損することなく、しかも取付穴を大きくすることなく取付バネの係止力を増大する技術がある（例えば、特許文献１参照。）。
【先行技術文献】
【特許文献】
【０００３】
【特許文献１】特開平７−２８２６０７号公報
【発明の概要】
【発明が解決しようとする課題】
【０００４】
天井の埋込穴に取り付く照明器具では、天井に照明器具を固定するために器具本体側面に取付バネを有するが、天井材の板厚が薄い場合には取付バネによって十分な係止力が得られない。このため、照明器具と天井材との間に隙聞が開いたり、取付バネと器具フランジ部との間に天井材が挟みこまれ、天井材から器具が外れないといった課題があった。
【０００５】
本発明は、天井材の板厚が薄くても、取付バネに十分な係止力が得られる埋込型照明器具の提供を目的とする。
【課題を解決するための手段】
【０００６】
この発明の埋込型照明器具は、
板状の部材の部材下面から部材上面の方向に貫通する貫通穴に埋め込まれ、前記部材に取り付けられる埋込型照明器具において、
器具本体と、
折曲部で折り曲げられて略Ｖ字形状をなし、前記器具本体を前記部材に弾性力によって取り付ける取付バネと
を備え、
前記器具本体は、
光源が収納され、前記光源の周囲を取り囲む側面をなすと共に前記貫通穴に前記部材下面から前記部材上面の方向に埋め込まれる側部と、
前記部材下面から前記部材上面の方向に埋め込まれる前記側部の前記部材下面の側の端部の外周の少なくとも一部に形成された板状のフランジ部であって、前記側部が前記貫通穴に前埋め込まれた状態において、前記貫通穴の前記部材下面側の周縁を含んで前記貫通穴の前記部材下面と当接する前記部材上面側の面であるフランジ部上面と、
前記フランジ部上面に対して、前記部材下面側の面であるフランジ部下面と
を有するフランジ部と、
前記側部が前記貫通穴に埋め込まれた状態において、前記貫通穴の前記部材下面側の周縁に沿うと共に前記貫通穴である開口の側の前記フランジ部上面から前記フランジ部下面の方向に凹む凹みが形成され、前記凹みに前記取付バネの前記折曲部を収める溝部と
を備えたことを特徴とする。
【発明の効果】
【０００７】
本発明によれば、天井材の板厚が薄い場合にも、取付バネに十分な係止力が得られる埋込型照明器具を提供できる。
【図面の簡単な説明】
【０００８】
【図１】実施の形態１の埋込型照明器具１０００の断面を示す図。
【図２】図１の溝部１３０における取付バネ２００の部分拡大図。
【図３】図１のＸ方向矢視を示す図。
【図４】実施の形態１のフランジ部１２０の断面形状のバリエーションを示す図。
【図５】実施の形態１のフランジ部１２０の別の断面形状のバリエーションを示す図。
【図６】実施の形態１の埋込穴２００３が四角形の場合を示す図。
【図７】実施の形態１の円環状のフランジ部１２０と、枠状のフランジ部１２０を示す図。
【図８】実施の形態１のフランジ部１２０の別の構成を示す図。
【発明を実施するための形態】
【０００９】
実施の形態１．
図１〜図８を参照して実施の形態１の埋込型照明器具１０００を説明する。図１は埋込型照明器具１０００の断面を示す図（図３の断面Ａ−Ａ）である。図１は図３（ｂ）と同一の図である。図２は図１の溝部１３０における取付バネ２００の部分拡大図である。図３（ａ）は図１のＸ方向矢視（図３（ａ））を示す図であるが、フランジ部１２０と埋込穴２００３との寸法関係を示すことが目的の図であるので、ヒートシンク３００，取付バネ２００（二点鎖線で示した）は省略した。
【００１０】
（埋込型照明器具１０００の構造）
埋込型照明器具１０００は、図１に示すように、枠部１００と、取付バネ２００と、ヒートシンク３００とを備えている。図３に示すように、枠部１００は、中心軸１０１を中心に回転してできた回転体の形状をなす。枠部１００は、側部１１０、フランジ部１２０、溝部１３０を有する。
（１）フランジ部１２０は、枠部１００の端部の外周に形成された円環形状の鍔形状の部分である。後述（図８）のように、フランジ部１２０は、端部の外周の全周に形成されてもよいし、部分的に複数箇所に形成されても構わない。
（２）溝部１３０は、枠部１００が埋込穴２００３に埋め込まれた状態において、埋込穴２０３の天井下面２００１の周縁に沿って形成された円周状の凹みである。溝部１３０は、埋込穴２００３である開口の側のフランジ部上面１２２の領域（図３（ａ）の幅Ｗの円周として見える部分）からフランジ部下面１２１の方向（図３（ｂ）のＹ方向）に凹む凹み１３１である。溝部１３０と凹み１３１とは同じであるが、溝部１３０とはフランジ部１２０の部材（部材表面）の実体部分を意味し、凹み１３１とは、空間（溝）を意味するものとする。側部１１０は、枠部１００のうち、フランジ部１２０と溝部１３０とを除いた外観が円筒形状の部分である。溝部１３０は、凹み１３１が、埋込穴２００３の天井下面２００１の周縁に沿って円周状に形成されている。
なお、後述のように溝部１３０の外周１３２と埋込穴２００３の穴径との形状、大きさを合せているので、埋込穴２００３（開口）が円形状であれば溝部１３０は円周形状である。
【００１１】
（１）枠部１００は、天井材２０００の埋込穴２００３に挿入され、取付バネ２００により天井材２０００に係止される。
（２）取付バネ２００は、埋込型照明器具１０００ではヒートシンク３００に固定され、枠部１００の側面から斜め上方向に向かって伸び、埋込穴２００３の上面角部２００４に接触し、押さえつける方向（図２のＦ方向）にバネ力が働く（図２のθが大きくなろうとする）ため、埋込型照明器具１０００を天井材２０００に固定できる。図１では取付バネ２００はヒートシンク３００に固定されているが一例であり、取付バネ２００は側部１１０に固定されても構わない。
（３）ヒートシンク３００は、光源１４１及び点灯回路等からなる光源部１４０の熱を放熱する。図１に示すように、光源部１４０はヒートシンク３００に密着するように取り付けられ、枠部１００から照射口１１１の方向に光を発する。
【００１２】
（溝部１３０）
通常、枠部１００のフランジ部上面１２２には窪み（凹み１３１）がない。このため、天井材２０００が薄い場合、取付バネ２００を大きく開いても固定することはできない。しかし、フランジ部１２０のフランジ部上面１２２に凹み１３１を設けることにより、取付バネ２００の曲げ端（折曲部２０１）が、天井材２０００の天井下面２００１とフランジ部上面１２２との当接面１２３から寸法Ｈ（図１）だけ下がっている。このため、天井材２０００が薄板の場合でも確実に係止できるこのように、溝部１３０は、凹み１３１に取付バネ２００の折曲部２０１を収める際には、フランジ部上面１２２と天井下面２００１とが当接する当接面１２３よりもフランジ部下面１２１の方向に折曲部２０１を収める。
【００１３】
（フランジ部１２０）
また、従来では天井材２０００の板厚が薄い場合には、取付バネ２００に十分な係止力が得られない場合があったが、実施の形態１の埋込型照明器具１０００では、以下の構成によって、取付バネ２００に十分な係止力が得られる。すなわち、枠部１００のフランジ部上面１２２に形成された溝部１３０の外周１３２（図３）と、天井材２０００の埋込穴２００３の穴径との大きさを併せた。つまり、図３において溝部１３０の外周１３２（つまり外周１３２に相当する直径であるφＤ（１３２））と埋込穴２００３の穴径であるφＤ（２００３）とは略同一であり、Ｘ矢視でみると図３（ａ）のように重なってみえる。一方、フランジ部１２０におけるフランジ部上面１２２の外周の直径φＤ（１２２）は、溝部１３０の外周直径φＤ（１３２）、埋込穴２００３の直径φＤ（２００３）に対して、半径にしてΔｒ（後述の幅Ｂに相当）だけ長い。よって、取付バネ２００が天井材２０００の上面角部２００４を抑えつける際に、前記Δｒに相当する広さをもつフランジ部上面１２２が埋込穴２００３の天井下面２００１側の周縁周辺を受けることとなる。従って、天井材２０００における上面角部２００４付近は取付バネ２００の押し付け力を受けても、フランジ部上面１２２との当接によってフランジ部１２０と一体化することで剛性が増す。よってこの効果によって、天井材２０００が薄くても、埋込穴２００３は取付バネ２００のバネ力によって変形することなく、埋込型照明器具１０００の取り付けが可能となる。
【００１４】
図１〜図３を参照して、さらに具体的に埋込型照明器具１０００の構成を説明する。埋込型照明器具１０００は、板状の天井材２０００（部材）の天井下面２００１（部材下面）から天井上面２００２（部材上面）の方向に貫通する埋込穴２００３（貫通穴）に埋め込まれ、天井材２０００に取り付けられる。埋込型照明器具１０００は、枠部１００（器具本体）と、折曲部２０１で折り曲げられて略Ｖ字形状をなし、枠部１００を天井材２０００に弾性力によって取り付ける取付バネ２００とを備える。
【００１５】
枠部１００は、側部１１０と、フランジ部１２０と、溝部１３０とを備えている。側部１１０は、光源１４１（例えばＬＥＤ）を含む光源部１４０が収納され、光源１４１の周囲を取り囲む側面をなすと共に埋込穴２００３に天井下面２００１から天井上面２００２の方向に埋め込まれる。図３に示すように、フランジ部１２０は、天井下面２００１から天井上面２００２の方向に埋め込まれる側部１１０の天井下面２００１側の端部の外周に形成された板状の部分である。フランジ部１２０は、フランジ部下面１２１とフランジ部上面１２２を有する。フランジ部上面１２２は、側部１１０が埋込穴２００３に埋め込まれた状態において、埋込穴２００３の天井下面２００１側の周縁２００１ａ（図３（ａ）のφＤ（１３２）に対応）を含んで埋込穴２００３の天井下面２００１と当接する。当接する部分は後述する図７（ａ）のフランジ部上面１２２である。フランジ部下面１２１は、フランジ部上面１２２に対して、天井下面２００１側の面である。溝部１３０は、側部１１０が埋込穴２００３に埋め込まれた状態において、埋込穴２００３の天井下面２００１の周縁に沿うと共に埋込穴２００３である開口の側（図３（ａ）のＺ方向）のフランジ部上面１２２からフランジ部下面１２１の方向（図３（ｂ）のＹ方向）に凹む凹み１３１が形成され、凹み１３１に取付バネ２００の折曲部２０１を収める。埋込型照明器具１０００が埋込穴２００３に埋め込まれて天井材２０００に取り付けられた状態では取付バネ２００が天井材２０００の上面角部２００４を抑えつける。
【００１６】
しかしフランジ部上面１２２は、埋込穴２００３の天井下面２００１側の少なくとも一部の周縁（図３（ａ）のφＤ（１３２）相当部分、あるいは後述する図８の範囲２００３−１の部分）を含んで埋込穴２００３の天井下面２００１と当接するので、フランジ部上面１２２は埋込穴２００３の周縁の周辺を受けることとなる。よって天井材２０００が薄くても、埋込穴２００３の周辺の埋込穴２００３は取付バネ２００のバネ力によって変形することがない。つまり取付バネ２００と取付バネ２００（天井上面２００２）とでバネクリップのように、埋込穴２００３の周縁を挟み込むが、この際に埋込穴２００３の周縁をフランジ部上面１２２が支持するので埋込穴２００３の周縁の変形が防止できる。
【００１７】
図４、図５は、フランジ部１２０の形状のバリエーションを説明するための断面図である。図２では、フランジ部１２０の外周側（外径側）の壁である外周壁部１２６（外周１３２に対応）は、Ｙ方向の反対方向に垂直に起立し、その直上に上面角部２００４が存在する。またフランジ部１２０内周側（内径側）の壁である内周壁部１２７は、Ｙ方向の反対方向に垂直に起立し、その上方で側部１１０の表面に一致する。図２のフランジ部１２０はこのような形状であるが、これに限らず、フランジ部１２０の溝部１３０に取付バネ２００の折曲部２０１が収まり、かつ、フランジ部上面１２２が天井下面２００１と当接して天井下面２００１を受ける形状であればよい。図４（ａ），（ｂ）、図５（ａ），（ｂ）はこれらのバリエーションを示す図である。なお、図５（ｂ）は平板の円環形状の円環部材１２８を別個の部材として用いてフランジ部１２０を形成する例である。
【００１８】
なお、以上では埋込穴２００３が円形の場合であり、このためフランジ部１２０も中心軸１０１を回転中心とする回転体の形状であったが、フランジ部１２０の機能は、取付バネ２００の折曲部２０１を収納し、かつ、取付バネ２００の押し付け力に対してフランジ部上面１２２で天井下面２００１を受ける（支持する）ことにある。従ってフランジ部１２０（フランジ部上面１２２）の形状は、埋込穴２００３の形状に依存する。図６は、埋込穴２００３が四角形の場合の図であり、図３に対応する。
【００１９】
図６、あるいは図３も同様であるが、フランジ部１２０は、埋込穴２００３の形状に応じて、側部１１０の天井下面２００１側の端部の外周の全周にわたって形成される。つまり、図７（ａ）に示すように埋込穴２００３が円形状（図３）であればＸ矢視でみると円環状をなし、図７（ｂ）に示すように埋込穴２００３が四角であればＸ矢視でみると四角形状（枠形状）をなす。その幅Ｂは、天井下面２００１を受ける幅Ｂ（図３，図６）である。
【００２０】
なお、図３及び図６の場合も、溝部１３０の凹み１３１は埋込穴２００３の天井下面２００１の周縁に沿って一周する周状に形成されているが、一例である。凹み１３１は、取付バネ２００が取り付けられる位置に部分的に形成されても構わない。なお図３の場合は凹み１３１は、円周状に形成されている。
【００２１】
なお、図３、図６では、フランジ部１２０が周状の場合を説明したが、フランジ部１２０の機能は、取付バネ２００の折曲部２０１を収納し、かつ、取付バネ２００の押し付け力に対して取付バネ２００の周辺の天井下面２００１をフランジ部上面１２２で受けることにある。従ってフランジ部１２０（フランジ部上面１２２）は、取付バネ２００に対応して、部分的に形成されても構わない。図８は埋込型照明器具１０００が取付バネ２００を４つ有する場合である。図８（ａ）、（ｂ）は図３（ａ），（ｂ）に対応する図であり、図８（ｃ）は図８（ａ）のＢ−Ｂ断面である。図８に示すように、板状であるフランジ部１２０は、側部１１０の天井下面２００１側の端部の外周の少なくとも一部（全部の場合が周形状）に形成されても構わない。
【００２２】
以上に説明した埋込型照明器具１０００の枠部１００は、溝部１３０と、フランジ部上面１２２を有するフランジ部１２０とを備えたので、天井材の板厚が薄い場合にも、取付バネに十分な係止力が得られる。
【符号の説明】
【００２３】
１０００  埋込型照明器具、１００  枠部、１０１  中心軸、１１０  側部、１１１  照射口、１２０  フランジ部、１２１  フランジ部下面、１２２  フランジ部上面、１２３  当接面、１２６  外周壁部、１２７  内周壁部、１２８  円環部材、１３０  溝部、１３１  凹み、１３２  外周、１４０  光源部、１４１  光源、２００  取付バネ、２０１  折曲部、３００  ヒートシンク、２０００  天井材、２００１  天井下面、２００２  天井上面、２００３  埋込穴、２００４  上面角部。
【図１】
2014110186.tif 000003
【図２】
2014110186.tif 000004
【図３】
2014110186.tif 000005
【図４】
2014110186.tif 000006
【図５】
2014110186.tif 000007
【図６】
2014110186.tif 000008
【図７】
2014110186.tif 000009
【図８】
2014110186.tif 000010